【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
複数のクライアント装置が、ネットワークを介してデバイスサーバと接続され、前記デバイスサーバにローカル接続されたデバイスと通信を行うデバイスサーバシステムにおけるクライアント装置のプログラムであって、
クライアント装置に、
前記デバイスと他クライアント装置とが接続中であって、かつ前記デバイスを利用するためのイベントが規定時間以上継続した場合、前記デバイスと他クライアント装置との接続を切断し、自クライアント装置と前記デバイスとを接続するよう前記デバイスサーバに要求するステップを実行させるプログラム。
【請求項２】
複数のクライアント装置が、ネットワークを介してデバイスサーバと接続され、前記デバイスサーバにローカル接続されたデバイスと通信を行うデバイスサーバシステムにおけるクライアント装置のプログラムであって、
クライアント装置に、
前記デバイスと他クライアント装置とが接続中であって、かつ前記デバイスを利用するための、入力装置から行われるイベントが規定時間以上継続し、かつ前記自クライアント装置がデバイスサーバを経由して前記デバイスを利用する場合であり、さらに前記デバイスとの接続および切断を自動で切り替える自動モードである場合、前記デバイスと他クライアント装置との接続を切断し、自クライアント装置と前記デバイスとを接続するよう前記デバイスサーバに要求するステップを実行させるプログラム。
【請求項３】
複数のクライアント装置が、ネットワークを介してデバイスサーバと接続され、前記デバイスサーバにローカル接続されたデバイスと通信を行うデバイスサーバシステムにおけるデバイス利用方法であって、
接続していない他のクライアント装置において、前記デバイスを利用するためのイベントの継続時間が規定時間より長いか否かを判断するステップと、
前記イベントの継続時間が規定時間より長いと判断した場合、前記デバイスと接続中のクライアントとの接続を切断し、前記イベントが発生したクライアント装置と前記デバイスとを接続するステップと、
を含むデバイス利用方法。
【請求項４】
複数のクライアント装置が、ネットワークを介してデバイスサーバと接続され、前記デバイスサーバにローカル接続されたデバイスと通信を行うデバイスサーバシステムにおけるクライアント装置であって、
前記デバイスと他のクライアント装置とが接続中であるか否か、および自クライアント装置において、前記デバイスを利用するためのイベントの継続時間が規定時間より長いか否かを判断する判断部と、
前記判断部の通知を受け、前記デバイスとの接続を切断するよう前記他のクライアント装置に要求する制御部
とを備えるクライアント装置。
【請求項５】
複数のクライアント装置が、ネットワークを介してデバイスサーバと接続され、前記デバイスサーバにローカル接続されたデバイスと通信を行うデバイスサーバシステムにおけるデバイスサーバであって、
前記デバイスとの接続および切断を自動で切り替える自動モードの場合、前記デバイスと接続中のクライアント装置とは異なるクライアント装置から接続切断の要求を受信したときは接続中のクライアント装置の許可なく切断するデバイスサーバ。
【手続補正２】
【補正対象書類名】明細書
【補正対象項目名】０００８
【補正方法】変更
【補正の内容】
【０００８】
上記課題を解決するために、本発明にかかる第１の形態は、複数のクライアント装置が、ネットワークを介してデバイスサーバと接続され、デバイスサーバにローカル接続されたデバイスと通信を行うデバイスサーバシステムにおけるクライアント装置のプログラムであって、クライアント装置に、デバイスと他クライアント装置とが接続中であって、かつ前記デバイスを利用するためのイベントが規定時間以上継続した場合、デバイスと他クライアント装置との接続を切断し、自クライアント装置とデバイスとを接続するようデバイスサーバに要求するステップを実行させるプログラムである。
【手続補正３】
【補正対象書類名】明細書
【補正対象項目名】０００９
【補正方法】変更
【補正の内容】
【０００９】
本発明にかかる第１の別の形態は、複数のクライアント装置が、ネットワークを介してデバイスサーバと接続され、デバイスサーバにローカル接続されたデバイスと通信を行うデバイスサーバシステムにおけるクライアント装置のプログラムであって、クライアント装置に、デバイスと他クライアント装置とが接続中であって、かつ前記デバイスを利用するための、入力装置から行われるイベントが規定時間以上継続し、かつ自クライアント装置がデバイスサーバを経由してデバイスを利用する場合であり、さらにデバイスとの接続および切断を自動で切り替える自動モードである場合、デバイスと他クライアント装置との接続を切断し、自クライアント装置とデバイスとを接続するようデバイスサーバに要求するステップを実行させるプログラムである。
【手続補正４】
【補正対象書類名】明細書
【補正対象項目名】００１０
【補正方法】変更
【補正の内容】
【００１０】
本発明にかかる第２の形態は、複数のクライアント装置が、ネットワークを介してデバイスサーバと接続され、デバイスサーバにローカル接続されたデバイスと通信を行うデバイスサーバシステムにおけるデバイス利用方法であって、接続していない他のクライアント装置において、デバイスを利用するためのイベントの継続時間が規定時間より長いか否かを判断するステップと、イベントの継続時間が規定時間より長いと判断した場合、デバイスと接続中のクライアントとの接続を切断し、イベントが発生したクライアント装置とデバイスとを接続するステップと、を含むデバイス利用方法である。
【手続補正５】
【補正対象書類名】明細書
【補正対象項目名】００１１
【補正方法】変更
【補正の内容】
【００１１】
本発明にかかる第３の形態は、複数のクライアント装置が、ネットワークを介してデバイスサーバと接続され、デバイスサーバにローカル接続されたデバイスと通信を行うデバイスサーバシステムにおけるクライアント装置であって、デバイスと他のクライアント装置とが接続中であるか否か、および自クライアント装置において、デバイスを利用するためのイベントの継続時間が規定時間より長いか否かを判断する判断部と、判断部の通知を受け、デバイスとの接続を切断するよう他のクライアント装置に要求する制御部とを備えるクライアント装置である。
【手続補正６】
【補正対象書類名】明細書
【補正対象項目名】００１２
【補正方法】変更
【補正の内容】
【００１２】
本発明にかかる第４の形態は、複数のクライアント装置が、ネットワークを介してデバイスサーバと接続され、デバイスサーバにローカル接続されたデバイスと通信を行うデバイスサーバシステムにおけるデバイスサーバであって、デバイスとの接続および切断を自動で切り替える自動モードの場合、デバイスと接続中のクライアント装置とは異なるクライアント装置から接続切断の要求を受信したときは接続中のクライアント装置の許可なく切断するデバイスサーバである。
【手続補正７】
【補正対象書類名】明細書
【補正対象項目名】００６０
【補正方法】変更
【補正の内容】
【００６０】
制御部５０４は、判断部５０３の通知を受け、自動モードの場合、他のクライアント装置とＵＳＢデバイスとの接続を切断するように他のクライアント装置に通知し、切断完了の通知を受信すると、自クライアント装置とＵＳＢデバイスとの接続を行うようにデバイスサーバ１０２に通知する。一方、自クライアントが接続を行おうとするＵＳＢデバイスが他のクライアント装置と接続していない場合は、自クライアント装置とＵＳＢデバイスとの接続を行うようにデバイスサーバ１０２に通知する。